(57)【要約】【課題】  放送／通信結合サービス情報の送受信方法及び装置を提供する。【解決手段】  所定時点に放送される放送サービス情報と連係してサービスされる通信サービス情報についての受信制御情報が所定時点以前に放送される放送サービス情報と共に含まれている放送信号を伝送される段階と、伝送された放送信号に含まれた通信サービス情報についての受信制御情報を分析して該当する通信サービス情報を要請して伝送される段階と、所定時点に放送される放送サービス情報についての放送信号を伝送され、伝送された放送信号サービス情報と伝送された通信サービス情報とを同期化してディスプレイする段階と、を含み、放送サービス情報と共に時間同期化された時点にあらかじめ伝送された通信サービス情報をディスプレイすることによって放送／通信結合サービスを提供できる。【選択図】      図６
2007068172.tif 000002
【特許請求の範囲】
【請求項１】
（ａ）所定時点に放送される放送サービス情報と連係してサービスされる通信サービスについての受信制御情報が前記所定時点以前に放送される放送サービス情報と共に含まれる放送サービスストリームを生成する段階と、
（ｂ）前記生成された放送サービスストリームが放送／通信結合サービスということを知らせる報知情報を含む放送サービス構成情報を生成する段階と、
（ｃ）前記生成された放送サービスストリームと前記生成された放送サービス構成情報を放送信号に多重化して送信する段階とを含むことを特徴とする放送／通信結合サービス情報の送信方法。
【請求項２】
前記（ａ）段階は、
（ａ１）前記所定時点に放送される放送サービス情報と連係してサービスされる通信サービス情報についての受信制御情報と前記所定時点以前に放送される放送サービス情報を入力される段階と、
（ａ２）前記入力された通信サービス情報受信制御情報と前記所定時点以前に放送される放送サービス情報とを信号処理して放送サービスストリームを生成する段階とからなることを特徴とする請求項１に記載の放送／通信結合サービス情報の送信方法。
【請求項３】
前記（ａ２）段階での信号処理は、
前記入力された受信制御情報と前記所定時点以前に放送される放送サービス情報とを前記放送サービスフォーマットに合わせてエンコーディングすることを特徴とする請求項２に記載の放送／通信結合サービス情報の送信方法。
【請求項４】
前記（ａ２）段階での信号処理は、
前記入力された受信制御情報と前記所定時点以前に放送される放送サービス情報についてのエラー訂正符号化をさらに含むことを特徴とする請求項３に記載の放送／通信結合サービス情報の送信方法。
【請求項５】
前記（ｃ）段階は、
（ｃ１）前記（ａ）段階で生成された放送サービスストリームと前記（ｂ）段階で生成された放送サービス構成情報を放送信号に多重化する段階と、
（ｃ２）前記多重化された放送信号に対してチャンネル符号化する段階と、
（ｃ３）前記チャンネル符号化された放送信号を放送伝送フレームを通じて送信する段階とからなることを特徴とする請求項１に記載の放送／通信結合サービス情報の送信方法。
【請求項６】
前記通信サービス情報についての受信制御情報が前記所定時点以前に放送される放送サービス情報と共に含まれている放送信号には、前記該当する通信サービス情報を伝送されれ得ない場合に備えて、前記所定時点に放送される放送サービス情報と連係してサービスされる追加放送サービス情報をさらに含むことを特徴とする請求項１に記載の放送／通信結合サービス情報の送信方法。
【請求項７】
前記通信サービス情報についての受信制御情報には、地域基盤通信サービスを行うか否かについての情報をさらに含むことを特徴とする請求項１に記載の放送／通信結合サービス情報の送信方法。
【請求項８】
前記通信サービス情報についての受信制御情報には、通信サービス情報提供サーバーについての位置情報をさらに含むことを特徴とする請求項１に記載の放送／通信結合サービス情報の送信方法。
【請求項９】
（ａ）所定時点に放送される放送サービス情報と連係してサービスされる通信サービス情報についての受信制御情報が前記所定時点以前に放送される放送サービス情報と共に含まれている放送信号を伝送される段階と、
（ｂ）前記伝送された放送信号に含まれた通信サービス情報についての受信制御情報を分析して該当する通信サービス情報を要請して伝送される段階と、
（ｃ）前記所定時点に放送される放送サービス情報についての放送信号を伝送され、前記伝送された放送サービス情報と前記（ｂ）段階で伝送された通信サービス情報とを同期化してディスプレイする段階とを含むことを特徴とする放送／通信結合サービス情報の受信方法。
【請求項１０】
前記通信サービス情報についての受信制御情報が前記所定時点以前に放送される放送サービス情報と共に含まれている放送信号には、前記該当する通信サービス情報を伝送され得ない場合に備えて、前記所定時点に放送される放送サービス情報と連係してサービスされる追加放送サービス情報をさらに含むことを特徴とする請求項９に記載の放送／通信結合サービス情報の受信方法。
【請求項１１】
前記（ｂ）段階で前記該当する通信サービス情報を伝送され得ない場合に、前記（ｃ）段階は前記所定時点に放送される放送サービス情報についての放送信号を伝送され、前記伝送された放送サービス情報と前記追加放送サービス情報とを同期化してディスプレイすることを特徴とする請求項１０に記載の放送／通信結合サービス情報の受信方法。
【請求項１２】
前記（ｂ）段階で前記該当する通信サービス情報を伝送された場合に、前記（ｃ）段階は、前記所定時点に放送される放送サービス情報についての放送信号を伝送され、前記伝送された放送サービス情報と前記通信サービス情報及び前記追加放送サービス情報とを同期化して共にディスプレイすることを特徴とする請求項１０に記載の放送／通信結合サービス情報の受信方法。
【請求項１３】
前記（ｂ）段階は、
（ｂ１）前記伝送された放送信号に含まれた前記通信サービス情報についての受信制御情報を分析する段階と、
（ｂ２）前記分析の結果、該当する通信サービス情報を伝送されるか否かを判断する段階と、
（ｂ３）前記分析の結果、該当する通信サービス情報を伝送されると判断される場合に、該情報を伝送される段階とからなることを特徴とする請求項９に記載の放送／通信結合サービス情報の受信方法。
【請求項１４】
前記（ｂ１）段階での分析結果、前記通信サービス情報を利用する場合、パケット単位で課金が発生すると判断される場合に前記（ｂ２）段階に進み、
前記（ｂ１）段階での分析結果、前記通信サービス情報を利用する場合、定額制で課金が発生すると判断される場合に、前記（ｂ２）段階は進行せず、前記（ｂ３）段階に進んで前記分析結果該当する通信サービス情報を伝送されることを特徴とする請求項１３に記載の放送／通信結合サービス情報の受信方法。
【請求項１５】
前記通信サービス情報についての受信制御情報は、ユーザ要請入力フラッグをさらに含むが、前記（ｂ２）段階は、前記ユーザ要請入力フラッグのある場合に、前記通信サービス情報を伝送されると判断することを特徴とする請求項１３に記載の放送／通信結合サービス情報の受信方法。
【請求項１６】
前記（ｂ）段階は、
（ｂ１）前記伝送された放送信号に含まれた前記通信サービス情報についての受信制御情報を分析する段階と、
（ｂ２）前記分析結果、地域的通信サービス情報を提供すると判断される場合に、自身の位置情報を検出する段階と、
（ｂ３）前記（ｂ２）段階で検出された自身の位置情報に基づいて、前記分析結果に該当する地域的通信サービス情報を伝送される段階とからなることを特徴とする請求項９に記載の放送／通信結合サービス情報の受信方法。
【請求項１７】
前記自身の位置情報を検出することは、前記放送信号を伝送する送信中継器の識別子情報、前記通信サービス情報を伝送する通信基地局の識別子情報及びＧＰＳ情報のうち、少なくともいずれか１つを通じて検出することを特徴とする請求項１６に記載の放送／通信結合サービス情報の受信方法。
【請求項１８】
前記（ｂ３）段階は、
（ｂ３１）前記地域的通信サービス情報の伝送中に自身の位置情報が他の地域に移動してハンドオーバーの発生有無を判断する段階と、
（ｂ３２）前記ハンドオーバーが発生していないと判断される場合に、前記分析結果に該当する地域的通信サービス情報を伝送される段階と、
（ｂ３３）前記ハンドオーバーが発生すると判断される場合に、前記ハンドオーバーがなされた地域についての地域的通信サービス情報を受信する時間があるか否かを判断する段階と、
（ｂ３４）前記（ｂ３３）段階で時間があると判断される場合に、前記ハンドオーバーがなされた地域についての地域的通信サービス情報を伝送される段階と、
（ｂ３５）前記（ｂ３３）段階で時間がないと判断される場合に、前記ハンドオーバー以前に伝送されている地域的通信サービス情報を伝送される段階とからなることを特徴とする請求項１６に記載の放送／通信結合サービス情報の受信方法。
【請求項１９】
前記通信サービス情報についての受信制御情報は、前記通信サービス情報がオーディオとビデオとを提供する動映像サービス情報である場合に、マルチメディアデータプレゼンテーション技術を利用する受信位置情報を含むことを特徴とする請求項９に記載の放送／通信結合サービス情報の受信方法。
【請求項２０】
前記通信サービス情報についての受信制御情報は、前記通信サービス情報がＨＴＭＬまたはＸＭＬ言語を通じて提供されるサービス情報である場合に、ＵＲＬを通じて前記通信サービス情報を受信しうる受信位置情報を含むことを特徴とする請求項９に記載の放送／通信結合サービス情報の受信方法。
【請求項２１】
前記通信サービス情報についての受信制御情報は、前記通信サービス情報がＭＰＥＧ２伝送ストリームを使用する場合には、ユーザデータフィールドを通じて受信位置情報を含むことを特徴とする請求項９に記載の放送／通信結合サービス情報の受信方法。
【請求項２２】
前記通信サービス情報についての受信制御情報は、前記通信サービス情報がインターネットプロトコル（ＩＰ）方式を利用する場合には、ＩＰアドレスに受信位置情報を含むことを特徴とする請求項９に記載の放送／通信結合サービス情報の受信方法。
【請求項２３】
前記通信サービス情報についての受信制御情報に通信サービス情報提供サーバーについての識別子をさらに含むことを特徴とする請求項９に記載の放送／通信結合サービス情報の受信方法。
【請求項２４】
前記放送サービス情報がデジタルオーディオ放送（ＤＡＢ）サービス情報である場合に、前記（ｂ）段階で前記通信サービス情報についての受信制御情報を分析することは、デジタルオーディオ放送の高速情報チャンネル（ＦＩＣ）分析であることを特徴とする請求項９に記載の放送／通信結合サービス情報の受信方法。
【請求項２５】
前記放送サービス情報がデジタルビデオ放送（ＤＶＢ）サービス情報である場合に、前記（ｂ）段階で前記通信サービス情報についての受信制御情報を分析することは、デジタルビデオ放送のプログラム指定情報（ＰＳＩ）及び／またはサービス情報（ＳＩ）分析であることを特徴とする請求項９に記載の放送／通信結合サービス情報の受信方法。
【請求項２６】
（ａ）所定時点に放送される放送サービス情報と連係してサービスされる追加放送サービスが前記所定時点以前に放送される放送サービス情報と共に含まれている放送信号を伝送される段階と、
（ｂ）前記所定時点に放送される放送サービス情報についての放送信号を伝送され、前記伝送された放送サービス情報と前記追加放送サービス情報とを同期化してディスプレイする段階とを含むことを特徴とする放送／通信結合サービス情報の受信方法。
【請求項２７】
所定時点に放送される放送サービス情報と連係してサービスされる通信サービスについての受信制御情報を前記所定時点以前に放送される放送サービス情報と共に含める放送サービスストリームを生成する放送サービスストリーム処理部と、
前記生成された放送サービスストリームが放送／通信結合サービスを提供するということを知らせる放送サービス構成情報を生成する放送サービス構成情報処理部と、
前記生成された放送サービスストリームと前記生成された放送サービス構成情報を放送信号に多重化するマルチプレクサと、を備えることを特徴とする放送／通信結合サービス情報の送信装置。
【請求項２８】
前記多重化された放送信号を放送伝送フレームを通じて送信する送信部と、をさらに含むことを特徴とする請求項２７に記載の放送／通信結合サービス情報の送信装置。
【請求項２９】
前記マルチプレクサから前記多重化された放送信号を入力されてチャンネル符号化して前記送信部に出力するチャンネル符号化部をさらに備えることを特徴とする請求項２７に記載の放送／通信結合サービス情報の送信装置。
【請求項３０】
前記所定時点に放送される放送サービス情報と連係してサービスされる通信サービスについての受信制御情報が前記所定時点以前に放送される放送サービス情報とマッチングされて保存されており、前記所定時点に放送される放送サービス情報が保存されている保存部とをさらに備えることを特徴とする請求項２７に記載の放送／通信結合サービス情報の送信装置。
【請求項３１】
前記保存部にマッチングされている放送サービス情報と通信サービスについての受信制御情報とを前記放送サービスストリーム処理部に共に提供して、放送／通信結合サービス情報の送信如何についてのユーザインターフェースを提供するユーザインターフェース部をさらに備えることを特徴とする請求項３０に記載の放送／通信結合サービス情報の送信装置。
【請求項３２】
所定時点に放送される放送サービス情報と連係してサービスされる通信サービス情報についての受信制御情報が前記所定時点以前に放送される放送サービス情報と共に含まれている第１放送信号及び前記所定時点に放送される放送サービス情報を含む第２放送信号を伝送される受信部と、
前記第１放送信号と前記第２放送信号とを放送信号処理して、前記第１放送信号の場合、放送サービス情報と通信サービス受信制御情報とに分離する放送サービスストリーム処理部と、
前記放送サービスストリーム処理部から入力された通信サービス受信制御情報を分析して、該当する通信サービス情報を伝送される通信サービス受信制御情報処理部と、
前記放送サービスストリーム処理部から前記所定時点に放送される放送サービス情報を入力され、前記通信サービス受信制御情報処理部から入力された通信サービス情報を同期化してディスプレイするディスプレイ部とを備えることを特徴とする放送／通信結合サービス情報の受信装置。
【請求項３３】
前記受信部で受信された放送信号に対してチャンネル復号化を行い、チャンネル復号化された放送信号を前記放送ストリーム処理部に出力するチャンネル復号化部と、をさらに備えることを特徴とする請求項３２に記載の放送／通信結合サービス情報の受信装置。
【請求項３４】
前記通信サービス受信制御情報処理部は、
前記通信サービス受信制御情報を通じて伝送されようとする通信サービス情報である通信サービス情報提供サーバーの位置情報を分析する通信サービス受信制御情報分析部と、
前記通信サービス情報提供サーバーに前記通信サービス情報を要請する通信サービス情報要請部と、
前記通信サービス情報提供サーバーから伝送要請した通信サービス情報を受信する通信サービス情報受信部とからなることを特徴とする請求項３２に記載の放送／通信結合サービス情報の受信装置。
【請求項３５】
前記通信サービス受信制御情報分析部は、前記通信サービス受信制御情報にユーザの要請がある場合に、通信サービス情報を受信するユーザ要請入力フィールドの有無についての分析をさらに含むが、前記ユーザ要請入力フィールドがあると分析される場合、前記ディスプレイ部に通信サービス情報を受信如何をディスプレイすることを特徴とする請求項３４に記載の放送／通信結合サービス情報の受信装置。
【請求項３６】
前記通信サービス情報の受信如何についてのユーザ要請入力命令信号についてのインターフェース機能を提供するユーザインターフェース部をさらに備えることを特徴とする請求項３５に記載の放送／通信結合サービス情報の受信装置。
【請求項３７】
前記通信サービス受信制御情報分析部は、前記通信サービス受信制御情報に地域基盤通信サービス情報を提供する地域基盤サービスフィールドの存否についての分析をさらに含むことを特徴とする請求項３４に記載の放送／通信結合サービス情報の受信装置。
【請求項３８】
前記放送／通信結合サービス情報の受信装置自体の現在位置情報を検出する位置情報検出部をさらに備えるが、前記通信サービス受信制御情報分析部は、検出された自身の現在位置情報と共に通信サービス情報提供サーバーの位置情報を分析することを特徴とする請求項３７に記載の放送／通信結合サービス情報の受信装置。
【発明の詳細な説明】
【技術分野】
【０００１】
本発明は、放送／通信結合サービス情報の送受信方法及び装置に係り、さらに詳細には、特定時点に提供される放送サービス情報と前記放送サービス情報が提供される以前時点に提供された通信サービス情報とを時間同期化させてディスプレイして放送／通信結合サービスを提供する放送／通信結合サービス情報の送受信方法及び装置に関する。
【背景技術】
【０００２】
図１は、従来の放送／通信結合サービス情報を提供する方法についての図である。図１を参照するに、放送／通信結合サービス情報の受信装置で特定時点Ｔで受信される放送信号は、放送サービス情報１００と通信サービス受信制御情報１０１を含む。
【０００３】
放送／通信結合サービス情報の受信装置は、特定時点Ｔで受信された放送信号を処理してディスプレイ部１０２に、図１に示されたように、放送サービス情報１００と通信サービス受信制御情報１０１とをディスプレイする。
【０００４】
ユーザは、ユーザインターフェース部１０３を通じてディスプレイ部１０２に表示されている通信サービス受信制御情報１０１を選択することによって、通信サービス情報提供サーバー（図示せず）に通信サービス情報についての伝送を要請する。これにより、放送／通信結合サービス情報の受信装置は、通信サービス情報提供サーバーから該当する通信サービス情報を伝送される。ここで、放送／通信結合サービス情報の受信装置と通信サービス情報提供サーバーは、所定の通信網を通じて通信サービス情報伝送要請信号及び通信サービス情報を伝送する。
【０００５】
放送／通信結合サービス情報の受信装置は、特定時点Ｔから所定時間ｔ１ほど経過した時点であるＴ＋ｔ１で通信サービス情報提供サーバーから伝送される通信信号を受信する。前記通信信号には、放送／通信結合サービス情報の受信装置で伝送要請した通信サービス情報１０４が含まれている。
【０００６】
放送／通信結合サービス情報の受信装置は、通信サービス情報１０４を受信し、再び特定時点Ｔから所定の時間ｔ２ほど経過した時点であるＴ＋ｔ２で伝送される放送信号を受信する。そして、放送／通信結合サービス情報の受信装置は、図１のディスプレイ部１０２に示されたように、特定時点Ｔ＋ｔ２で受信された放送サービス情報１０５と特定時点Ｔ＋ｔ１で受信された通信サービス情報１０４とを共にディスプレイする。ここで、特定時点Ｔ＋ｔ２で受信された放送サービス情報と共にディスプレイされる通信サービス情報は、特定時点Ｔで受信されて放送された放送サービス情報と関連している通信サービス情報である。
【０００７】
すなわち、放送サービス情報と連係してサービスしようとする通信サービス情報は、ユーザインターフェース部１０３を通じるユーザの入力要請命令が行われねばならないところ、一定時間（図１では、ｔ２ほどの時間）遅延処理される問題点を有する。
【０００８】
また、通信サービス情報を受信処理してディスプレイ部１０２にディスプレイしようとする場合に、一定時間遅延処理されることによって現在放送されている放送サービス情報と関連のない通信サービス情報がディスプレイされうるところ、現在放送されている放送サービス情報に集中できないという問題点も発生する。
【特許文献１】日本特許公開２００４−１７３２５６号公報
【発明の開示】
【発明が解決しようとする課題】
【０００９】
本発明は、前記問題点を解決するために案出されたものであって、特定時点に放送される放送サービス情報と連係してサービスされる通信サービス情報についての受信制御情報が前記特定時点以前に放送される放送サービス情報と共に含まれている放送信号を伝送され、通信サービス情報についての受信制御情報を通じて該当する通信サービスをあらかじめ伝送されて前記特定時点に伝送される放送サービス情報と共にディスプレイして放送／通信結合サービスを提供する放送／通信結合サービス情報の受信方法及び装置を提供する。
【課題を解決するための手段】
【００１０】
前記技術的課題を解決するための本発明の放送／通信結合サービス情報の送信方法は、（ａ）所定時点に放送される放送サービス情報と連係してサービスされる通信サービスについての受信制御情報が前記所定時点以前に放送される放送サービス情報と共に含まれる放送サービスストリームを生成する段階と、（ｂ）前記生成された放送サービスストリームが放送／通信結合サービスであることを知らせる報知情報を含む放送サービス構成情報を生成する段階と、（ｃ）前記生成された放送サービスストリームと前記生成された放送サービス構成情報を放送信号に多重化して送信する段階とを含むことを特徴とする。
【００１１】
前記技術的課題を解決するための本発明の放送／通信結合サービス情報の受信方法は、（ａ）所定時点に放送される放送サービス情報と連係してサービスされる通信サービス情報についての受信制御情報が前記所定時点以前に放送される放送サービス情報と共に含まれている放送信号を伝送される段階と、（ｂ）前記伝送された放送信号に含まれた通信サービス情報についての受信制御情報を分析して該当する通信サービス情報を要請して伝送される段階と、（ｃ）前記所定時点に放送される放送サービス情報についての放送信号を伝送され、前記伝送された放送サービス情報と前記（ｂ）段階で伝送された通信サービス情報とを同期化してディスプレイする段階とを含むことを特徴とする。
【００１２】
また、前記技術的課題を解決するための本発明の放送／通信結合サービス情報の受信方法は、（ａ）所定時点に放送される放送サービス情報と連係してサービスされる追加放送サービスが前記所定時点以前に放送される放送サービス情報と共に含まれている放送信号を伝送される段階と、（ｂ）前記所定時点に放送される放送サービス情報についての放送信号を伝送され、前記伝送された放送サービス情報と前記追加放送サービス情報とを同期化してディスプレイする段階とを含むことを特徴とする。
【００１３】
前記技術的課題を解決するための本発明の放送／通信結合サービス情報の送信装置は、所定時点に放送される放送サービス情報と連係してサービスされる通信サービスについての受信制御情報を前記所定時点以前に放送される放送サービス情報と共に含める放送サービスストリームを生成する放送サービスストリーム処理部と、前記生成された放送サービスストリームが放送／通信結合サービスを提供することを知らせる放送サービス構成情報を生成する放送サービス構成情報処理部と、前記生成された放送サービスストリームと前記生成された放送サービス構成情報とを放送信号に多重化するマルチプレクサとを含むことを特徴とする。
【００１４】
前記技術的課題を解決するための本発明の放送／通信結合サービス情報の受信装置は、所定時点に放送される放送サービス情報と連係してサービスされる通信サービス情報についての受信制御情報が前記所定時点以前に放送される放送サービス情報と共に含まれている第１放送信号及び前記所定時点に放送される放送サービス情報を含む第２放送信号を伝送される受信部と、前記第１放送信号と前記第２放送信号とを放送信号処理し、前記第１放送信号の場合、放送サービス情報と通信サービス受信制御情報とに分離する放送サービスストリーム処理部と、前記放送サービスストリーム処理部から入力された通信サービス受信制御情報を分析して該当する通信サービス情報を伝送される通信サービス受信制御情報処理部と、前記放送サービスストリーム処理部から前記所定時点に放送される放送サービス情報を入力されて前記通信サービス受信制御情報処理部から入力された通信サービス情報を同期化してディスプレイするディスプレイ部とを含むことを特徴と有する。
【００１５】
前記技術的課題を解決するための本発明の放送／通信結合サービス情報の送信方法をコンピュータで実行させるためのプログラムを記録したコンピュータで読取り可能な記録媒体を含むことを特徴とする。
【００１６】
また、前記技術的課題を解決するための本発明の放送／通信結合サービス情報の受信方法をコンピュータで実行させるためのプログラムを記録したコンピュータで読取り可能な記録媒体を含むことを特徴とする。
【発明の効果】
【００１７】
本発明による放送／通信結合サービス情報送受信方法及び装置を通じて、放送サービス情報の視聴中にユーザの入力要求のような不便さなしに基本的な放送サービス情報と共に時間同期される時点に通信サービス情報を提供されることによって、新たな放送／通信結合サービスを利用しうる。
【００１８】
また、放送サービス情報と時間同期されて提供される通信サービス情報について受信装置の位置情報に基づいて該当する地域特性に合う地域基盤通信サービス情報を提供されて、新たな特化された形態の地域基盤放送／通信結合サービスを提供しうる。
【００１９】
また、放送／通信結合サービスを提供する提供者である場合には、放送／通信結合サービスについての差別的な結合コンテンツを提供し、地域基盤の差別サービスを提供するなど多様な新規の放送／通信結合サービスを提供しうる。
【発明を実施するための最良の形態】
【００２０】
以下、添付された図面を参照して本発明の望ましい実施形態について詳細に説明する。
【００２１】
図２は、本発明の望ましい一実施形態により経時的に放送／通信結合サービスを提供する方法についての図である。図２を参照するに、放送／通信結合サービス情報の受信装置は、１つ以上の放送信号と１つ以上の通信信号とを受信しうる機能を有する。
【００２２】
放送／通信結合サービス情報の受信装置で特定時点Ｔ−ｔ２で受信される放送信号は特定時点Ｔ−ｔ２でサービスされる放送サービス情報２００と特定時点Ｔで受信される放送サービス情報と共にサービスされる通信サービス情報についての通信サービス受信制御情報２０１を含む。
【００２３】
放送／通信結合サービス情報の受信装置は、特定時点Ｔ−ｔ２で受信された放送信号を処理してディスプレイ部２０２に、図２に示されたように、放送サービス情報２００をディスプレイする。また、放送／通信結合サービス情報の受信装置は、特定時点Ｔ−ｔ２で受信された放送信号に含まれた通信サービス受信制御情報２０１を分析し、分析結果、該当する通信サービス情報提供サーバー（図示せず）に特定時点Ｔで受信される放送サービス情報と共にサービスされる通信サービス情報についての伝送を要請する。
【００２４】
放送／通信結合サービス情報の受信装置は、通信サービス情報についての伝送を要請した後、特定時点Ｔ−ｔ２から所定時間後の特定時点Ｔ−ｔ１で通信サービス情報提供サーバーから伝送される通信信号を受信する。通信信号には、特定時点Ｔ−ｔ２で伝送要請した通信サービス情報２０４が含まれている。
【００２５】
放送／通信結合サービス情報の受信装置は、通信サービス情報２０４を受信し、再び所定時間が経過した後、特定時点Ｔで放送網を通じて放送信号を伝送される。そして、放送／通信結合サービス情報の受信装置は、特定時点Ｔで伝送される放送信号を処理してディスプレイ部２０２に、図２に示されたように、特定時点Ｔで受信された放送サービス情報２０５と特定時点Ｔ−ｔ１で受信された通信サービス情報２０４を共にディスプレイする。
【００２６】
これにより、特定時点Ｔで放送サービス情報２０５と通信サービス情報２０４とを同一時点に処理してディスプレイ部２０２にディスプレイ可能になる。ここで、ディスプレイされる通信サービス情報２０４は、特定時点Ｔで伝送されてディスプレイされる放送サービス情報２０５と関連している情報である。
【００２７】
図３は、本発明の望ましい他の一実施形態により経時的に放送／通信結合サービスを提供する方法についての図である。図３を参照するに、放送／通信結合サービス情報の受信装置は、１つ以上の放送信号と１つ以上の通信信号とを受信しうる機能を有する。
【００２８】
放送／通信結合サービス情報の受信装置で特定時点Ｔ−ｔ２で受信される放送信号は、特定時点Ｔ−ｔ２でサービスされる放送サービス情報３００、特定時点Ｔでサービスされる通信サービス情報についての通信サービス受信制御情報３０１及び特定時点Ｔでサービスされる追加放送サービス情報３０３を含む。
【００２９】
ここで、追加放送サービス情報３０３は、通信環境によって通信サービス情報を受信され得ない場合、特定時点Ｔで受信される放送サービス情報と共にディスプレイする情報である。さらに、追加放送サービス情報３０３は、通信サービス情報を受信される場合、通信サービス情報と共に追加してディスプレイする情報で構成できるが、これについては、図４で説明する。
【００３０】
放送／通信結合サービス情報の受信装置は、特定時点Ｔ−ｔ２で受信された放送信号を処理してディスプレイ部３０２に、図３に示されたように、放送サービス情報３００をディスプレイする。また、放送／通信結合サービス情報の受信装置は、特定時点Ｔ−ｔ２で受信された放送信号に含まれた通信サービス受信制御情報３０１を分析し、分析結果、該当する通信サービス情報提供サーバー（図示せず）に特定時点Ｔで受信される放送サービス情報と共にサービスされる通信サービス情報についての伝送を要請する。
【００３１】
放送／通信結合サービス情報の受信装置は、所定の時間が経過した後、特定時点Ｔ−ｔ１で通信サービス受信不可情報を含む通信信号を受信する。ここで、通信サービス受信不可情報を含む通信信号は、受信環境の問題によって通信サービス情報を受信できない場合に発生して放送／通信結合サービス情報の受信装置に伝送される信号である。
【００３２】
放送／通信結合サービス情報の受信装置は、通信サービス受信不可情報３０４を受信し、再び所定時間が経過した後、特定時点Ｔで放送網を通じて伝送される放送信号を伝送される。そして、放送／通信結合サービス情報の受信装置は、特定時点Ｔで伝送される放送信号を処理してディスプレイ部３０２に、図３に示されたように、特定時点Ｔで受信された放送サービス情報３０５と特定時点Ｔ−ｔ２で受信された追加放送サービス情報３０３を共にディスプレイする。ここで、通信サービス情報受信装置は、特定時点Ｔ−ｔ１で通信サービス受信不可情報を入力されたために、特定時点Ｔでは通信サービス情報はディスプレイしない。
【００３３】
これにより、放送サービス情報３０５と追加放送サービス情報３０３とを同一時点に処理して、ディスプレイ部３０２にディスプレイ可能となる。ここで、ディスプレイされる追加放送サービス情報３０３は、特定時点Ｔで伝送されてディスプレイされる放送サービス情報３０５と関連している情報である。
【００３４】
図４は、本発明の望ましいさらに他の一実施形態により経時的に放送／通信結合サービスを提供する方法についての図である。図４を参照するに、放送／通信結合サービス情報の受信装置は、１つ以上の放送信号と１つ以上の通信信号とを受信しうる機能を有する。
【００３５】
放送／通信結合サービス情報の受信装置で特定時点Ｔ−ｔ２で受信される放送信号は、特定時点Ｔ−ｔ２でサービスされる放送サービス情報４００、特定時点Ｔにサービスされる通信サービス情報についての通信サービス受信制御情報４０１及び特定時点Ｔにサービスされる追加放送サービス情報４０３を含む。追加放送サービス情報４０３は、特定時点Ｔにサービスされる通信サービス情報と共にさらにサービスされる情報を示す。
【００３６】
放送／通信結合サービス情報の受信装置は、特定時点Ｔ−ｔ２で受信された放送信号を処理してディスプレイ部４０２に、図４に示されたように、放送サービス情報４００をディスプレイする。また、放送／通信結合サービス情報の受信装置は、特定時点Ｔ−ｔ２で受信された放送信号に含まれた通信サービス受信制御情報４０１を分析し、分析結果、該当する通信サービス情報提供サーバー（図示せず）に特定時点Ｔにサービスされる通信サービス情報についての伝送を要請する。
【００３７】
放送／通信結合サービス情報の受信装置は、所定の時間が経過した後、時点Ｔ−ｔ１で通信サービス情報提供サーバーから伝送される通信信号を受信する。通信信号には、伝送要請した通信サービス情報４０４が含まれている。
【００３８】
放送／通信結合サービス情報の受信装置は、通信サービス情報４０４を受信し、再び所定時間が経過した後、特定時点Ｔで放送網を通じて放送信号を伝送される。そして、放送／通信結合サービス情報の受信装置は、特定時点Ｔで伝送される放送信号を処理してディスプレイ部４０２に、図４に示されたように、特定時点Ｔで受信された放送サービス情報４０５、特定時点Ｔ−ｔ１で受信された通信サービス情報４０４及び特定時点Ｔ−ｔ２で受信された追加放送サービス情報４０３を共にディスプレイする。
【００３９】
これにより、放送サービス情報４０５、通信サービス情報４０４及び追加放送サービス情報４０３を同一時点に処理してディスプレイ部４０２にディスプレイされうる。ここで、ディスプレイされる通信サービス情報４０４と追加放送サービス情報４０３は、特定時点Ｔで伝送されてディスプレイされる放送サービス情報４０５と関連している情報である。
【００４０】
図５は、本発明の望ましい一実施形態による放送／通信結合サービス情報の送信装置についてのブロック図である。図５を参照するに、放送／通信結合サービスを行えるように放送／通信結合サービス情報を提供する放送／通信結合サービス情報の送信装置は次のような構成要素を含んでなる。
【００４１】
放送／通信結合サービス情報の送信装置は、保存部５１０、ユーザインターフェース部５２０、放送サービスストリーム処理部５３０、放送サービス構成情報処理部５４０、マルチプレクサ５５０、チャンネル符号化部５６０及び送信部５７０を含んで構成される。
【００４２】
放送サービスについての実際形態では、ＤＡＢ（Ｄｉｇｉｔａｌ  Ａｕｄｉｏ  Ｂｒｏａｄｃａｓｔｉｎｇ）、ＤＶＢ（Ｄｉｇｉｔａｌ  Ｖｉｄｅｏ  Ｂｒｏａｄｃａｓｔｉｎｇ）、ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）及びＩＳＤＢ−Ｔ（Ｉｎｔｅｇｒａｔｅｄ  Ｓｅｒｖｉｃｅ  Ｄｉｇｉｔａｌ  Ｂｒｏａｄｃａｓｔｉｎｇ−Ｔｅｒｒｅｓｔｒｉａｌ）のようなデジタル放送サービスを挙げられ、通信サービスについての実際形態ではＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ（Ｇｌｏｂａｌ  Ｓｙｓｔｅｍ  ｆｏｒ  Ｍｏｂｉｌｅ）、ＧＰＲＳ（Ｇｅｎｅｒａｌ  Ｐａｃｋｅｔ  Ｒａｄｉｏ  Ｓｅｒｖｉｃｅ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＷｉＢｒｏ（Ｗｉｒｅｌｅｓｓ  Ｂｒｏａｄｂａｎｄ  Ｉｎｔｅｒｎｅｔ）及びＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のようなデジタル通信サービスを挙げられる。
【００４３】
保存部５１０は、放送サービス情報と前記放送サービス情報と連係してサービスされる通信サービス情報についての通信サービス受信制御情報が各々保存されている。
【００４４】
ここで、保存部５１０に放送サービス情報と通信サービス受信制御情報とが保存されている形態は、特定時点Ｔに放送される放送サービス情報と連係してサービスされる通信サービス情報についての通信サービス受信制御情報と前記特定時点以前のＴ−ｔ２に放送される放送サービス情報がマッチングされていることである。このように放送サービス情報と通信サービス受信制御情報が一定の時間差をおいて保存されていることは、放送／通信結合サービス情報の受信装置であらかじめ通信サービス情報を受信することによって、実際的に特定時点Ｔでは時間遅延なしに放送サービス情報と通信サービス情報とについての結合サービスを提供するためである。ここで、前記時間遅延差であるｔ２は、放送／通信結合サービス情報の受信装置が通信サービス受信制御情報を入力され、これを分析して、通信サービス情報提供サーバー（図示せず）から該当する通信サービス情報を伝送されるまでの時間を示す。
【００４５】
また、保存部５１０は、前記特定時点以前Ｔ−ｔ２に放送される放送サービス情報が特定時点Ｔに放送される追加放送サービス情報と共にマッチングされて保存されていることをさらに含みうる。ここで、追加放送サービス情報は、通信サービス情報提供サーバーから該当する通信サービス情報を提供され得ない場合に備えて、特定時点Ｔに放送される放送サービス情報と共にディスプレイする追加情報である。
【００４６】
さらに、追加放送サービス情報は、通信サービス情報提供サーバーから該当する通信サービス情報を提供される場合にも、特定時点Ｔに放送される放送サービス情報及び通信サービス情報と共にディスプレイ可能にしうる。
【００４７】
ここで、保存部５１０は、ハードディスク（ＨＤＤ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）のような記録媒体を通称するものであって、大容量記録媒体で構成することが望ましい。
【００４８】
ユーザインターフェース部５２０は、保存部５１０に保存されている放送サービス情報とこれに該当する通信サービス情報とを結合してサービスするか否かについての命令をユーザから受信する入出力インターフェースを提供する。さらに具体的に、ユーザインターフェース部５２０はキーボードまたはＩＲリモートから入力される命令によるＩＲ受信部を通じて構成されうる。ＩＲリモートは、エアーマウス（ｍｏｕｓｅ）のような無線マウスやリモコン（Ｒｅｍｏｔｅ  Ｃｏｎｔｒｏｌｌｅｒ）となりうる。
【００４９】
放送サービスストリーム処理部５３０は、保存部５１０に保存されている放送サービス情報と通信サービス受信制御情報とを入力され、これを放送サービスストリームに生成する。放送サービスストリーム処理部５３０において、保存部５１０で入力される放送サービス情報は、特定時点であるＴ−ｔ２でディスプレイされる放送サービス情報であり、また共に入力される通信サービス受信制御情報は、特定時点Ｔにディスプレイされる放送サービス情報と共に関連してサービスされる通信サービス情報についての受信のための制御情報である。このように、通信サービス受信制御情報は、特定時点Ｔに放送される放送サービス情報より所定時間以前（ここで、Ｔ−ｔ２）に放送される放送サービス情報と共に放送サービスストリーム形態に提供される。
【００５０】
また、放送サービスストリーム処理部５３０では放送サービスに該当するフォーマットで放送サービス情報と通信サービス受信制御情報とをエンコーディングし、エンコーディングされたデータをパケット化し、パケット化された放送サービスストリームに対して多重化（Ｍｕｌｔｉｐｌｅｘｉｎｇ）を行う。
【００５１】
放送サービス構成情報処理部５４０は、現在提供する放送サービスが放送／通信結合サービスであることを受信装置に知らせる報知情報を含む放送サービス構成情報を構成する。さらに具体的に、放送サービス構成情報は、ＤＡＢ（Ｄｉｇｉｔａｌ  Ａｕｄｉｏ  Ｂｒｏａｄｃａｓｔｉｎｇ）である場合には、ＦＩＣ（Ｆａｓｔ  Ｉｎｆｏｒｍａｔｉｏｎ  Ｃｈａｎｎｅｌ）を通じて、ＤＶＢ−Ｔ（Ｄｉｇｉｔａｌ  Ｖｉｄｅｏ  Ｂｒｏａｄｃａｓｔｉｎｇ−Ｔｅｒｒｅｓｔｒｉａｌ）である場合には、ＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）を通じて現在提供されるサービスが放送／通信結合サービスであることが分かる。また、ＥＰＧまたはＥＳＧを通じて報知情報を含む放送サービス構成情報を提供することによって、提供されるサービスが放送／通信結合サービスであることが分かる。
【００５２】
マルチプレクサ５５０は、放送サービスストリーム処理部５３０から信号処理された放送サービスストリームと放送サービス構成情報処理部５４０から信号処理された放送サービス構成情報を各々入力され、これを多重化して１つの放送信号として処理する。
【００５３】
チャンネル符号化部５６０は、マルチプレクサ５５０から多重化された放送信号を入力され、これをチャンネル符号化する。
【００５４】
送信部５７０は、チャンネル符号化部５６０でチャンネル符号化された放送信号を入力され、これをアンテナを経て放送／通信結合サービス情報の受信装置に伝送する。送信部５７０は、少なくとも１つ以上の放送信号を伝送しうる。ここで、送信部５７０と放送／通信結合サービス情報の受信装置は、放送網を通じて連結されている。
【００５５】
送信部５７０からチャンネル符号化された放送信号を伝送される放送／通信結合サービス情報の受信装置は、固定型、携帯型及び移動型のうち、いずれか１つで構成されうる。放送／通信結合サービス情報の受信装置については、図６で説明する。
【００５６】
前記で、保存部５１０に保存されている通信サービス受信制御情報には該当する通信サービス情報提供サーバー（図示せず）から通信サービス情報を受信できるように通信サービス情報提供サーバーの位置情報が含まれていなければならない。
【００５７】
通信サービス情報がオーディオ（ａｕｄｉｏ）とビデオ（ｖｉｄｅｏ）を提供する動映像放送サービスである場合には、ＭＰＥＧ−４  ＢＩＦＳ（Ｂｉｎａｒｙ  Ｆｏｒｍａｔ  ｆｏｒ  Ｓｃｅｎｅ）、ＳＭＩＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）、ＬＡＳｅＲ（Ｌｉｇｈｔ  Ａｐｐｌｉｃａｔｉｏｎ  Ｓｃｅｎｅ  Ｒｅｐｒｅｓｅｎｔａｔｉｏｎ）のようなマルチメディアデータプレゼンテーション機能を有する技術を用いて通信サービス受信制御情報に通信サービス情報を受信しうる位置情報を含める。
【００５８】
または、通信サービス情報がＨＴＭＬ（Ｈｙｐｅｒ  Ｔｅｘｔ  Ｍａｒｋｕｐ  Ｌａｎｇｕａｇｅ）、ＸＭＬ（ｅＸｔｅｎｓｉｂｌｅ  Ｍａｒｋｕｐ  Ｌａｎｇｕａｇｅ）言語を活用して提供するサービスである場合には、ＵＲＬ（Ｕｎｉｆｏｒｍ  Ｒｅｓｏｕｒｃｅ  Ｌｏｃａｔｏｒ）を用いて通信サービス受信制御情報に通信サービス情報を受信しうる位置情報を含める。この場合、ＵＲＬのように通信サービス情報を受信しうる位置情報を知らせる方式は、一般的なＵＲＬ使用方式を使用する場合である。例えば、ｈｔｔｐ：//www.ｓａｍｓｕｎｇ．ｃｏｍを挙げられる。
【００５９】
また、通信サービス受信制御情報には、通信サービス情報提供サーバー識別子を含むことも可能である。通信サービス情報提供サーバー識別子は、前記通信サービス情報提供サーバーを各々別途に指定するためのものである。このように、ＵＲＬと共に通信サービス情報提供サーバー識別子をさらに提供することによって多数の通信サービス情報提供サーバーに差別的な通信サービス情報を提供する機会を提供しうる。具体的に通信サービス情報提供サーバー識別子を設定することは次の表１のようである。
【００６０】
【表１】
2007068172.tif 000003
また、通信サービス情報がＭＰＥＧ−２ＴＳ（Ｔｒａｎｓｐｏｒｔ  Ｓｔｒｅａｍ）を使用して提供するサービスである場合には、ＵＤＦ（Ｕｓｅｒ  Ｄａｔａ  Ｆｉｅｌｄ）を用いて通信サービス受信制御情報に通信サービス情報を受信しうる位置情報を含ませる。
【００６１】
また、通信サービス情報がＩＰ（Ｉｎｔｅｒｎｅｔ  Ｐｒｏｔｏｃｏｌ）方式を使用して提供する場合には、ＩＰアドレスを用いて通信サービス受信制御情報に通信サービス情報を受信しうる位置情報を含ませる。
【００６２】
本発明の放送／通信結合サービスの他の一実施形態によっては、ユーザの要請がある場合に通信サービス情報を受信せねばならない場合（例えば、製品購買要請及び確認、予約など）もあり得る。ユーザの要請がない場合にも、通信サービス情報を受信してディスプレイするということは、ユーザの放送サービス情報の視聴に不便さを与え、追加的な費用が発生して望ましくないためである。さらに具体的に、例えば、定額制で課金する通信サービス情報である場合には、ユーザの要請がなくても、通信サービス情報を受信可能にし、課金がパケット単位で発生する場合には、ユーザの要請がある場合に、通信サービス情報を受信可能にする。
【００６３】
このような点を解決するために本発明の通信サービス受信制御情報には、別途のユーザ要請なしに通信サービス情報を受信する場合とユーザ要請がある場合にのみ通信サービス情報を受信する場合とに区分されうる。これは通信サービス情報提供サーバーの位置情報と共にユーザ要請入力フィールドを追加することによって可能である。具体的にユーザ要請入力フィールドを設定することは次の表２の通りである。
【００６４】
【表２】
2007068172.tif 000004
すなわち、表２において、放送／通信結合サービス情報の受信装置でユーザ要請入力フィールドがないか、フィールドの値が“０”である場合の通信サービス受信制御情報を入力されれば、直ちに通信サービス情報提供サーバー位置情報を通じて該当する通信サービス情報を受信される。もし、ユーザ要請入力フィールドがあるか、フィールドの値が“１”である場合の通信サービス受信制御情報を入力されれば、ユーザからの別途の要請がある場合に限って該当する通信サービス情報を受信される。
【００６５】
前記で本発明の放送／通信結合サービス情報の受信装置は、１つ以上の放送網を通じて提供されうる放送サービス情報と１つ以上の通信網を通じて提供しうる通信サービス情報を伝送される。ここで、１つ以上の通信網から通信サービス情報が提供される場合、放送／通信結合サービス情報の受信装置は通信状況が最も良好な通信信号を通じて通信サービス情報を受信するように設定することもできる。
【００６６】
図６は、本発明の望ましい一実施形態による放送／通信結合サービス情報の受信装置についてのブロック図である。図６を参照するに、放送／通信結合サービス情報を提供されて放送／通信結合サービスを提供する放送／通信結合サービス情報の受信装置は次のような構成要素を含んでなる。
【００６７】
ここで、放送サービスについての実際の例としては、ＤＡＢ、ＤＶＢ、ＡＴＳＣ及びＩＳＤＢ−Ｔのようなデジタル放送サービスを挙げられ、通信サービスについての実際の例として、ＣＤＭＡ、ＷＣＤＭＡ、ＧＳＭ、ＧＰＲＳ、ＨＳＤＰＡ、ＷｉＢｒｏ及びＷｉＭａｘのようなデジタル通信サービスを挙げられる。
【００６８】
放送／通信結合サービス情報の受信装置は、受信部６００、チャンネル復号化部６１０、デマルチプレクサ６２０、放送サービス構成情報処理部６３０、放送サービスストリーム処理部６４０、通信サービス受信制御情報処理部６５０、ディスプレイ部６６０、ユーザインターフェース部６７０及び位置情報検出部６８０を含んで構成される。
【００６９】
受信部６００は、放送／通信結合サービス情報の送信装置から放送網を通じて放送信号を伝送される。ここで、放送／通信結合サービス情報の送信装置から送信される放送信号と関連しては図５を参照する。
【００７０】
チャンネル復号化部６１０は、受信部６００を通じて入力された放送信号をチャンネル復号化する。
【００７１】
デマルチプレクサ６２０は、チャンネル復号化部６１０からチャンネル復号化された放送信号を入力され、これを逆多重化（Ｄｅｍｕｌｔｉｐｌｅｘｉｎｇ）して放送サービス構成情報と放送サービスストリームとに分離する。
【００７２】
放送サービス構成情報処理部６３０は、デマルチプレクサ６２０から放送サービス構成情報を入力され、これを信号処理する。さらに具体的に、放送サービス構成情報処理部６３０は、放送サービス構成情報に放送／通信結合サービスの提供如何が含まれているか否かを判断する。ここで、放送サービス構成情報処理部６３０から放送／通信結合サービスが提供されているか否か判断は、ＤＡＢの場合には、ＦＩＣ解析過程またはＤＶＢ−Ｔの場合にはＰＳＩ／ＳＩ解析過程を通じて判断しうる。
【００７３】
放送サービス構成情報処理部６３０は、放送／通信結合サービスが提供されると判断される場合、ディスプレイ部６６０にユーザが通信サービス情報を受信して放送サービス情報と共に結合して提供する放送／通信結合サービスの提供如何をディスプレイすることによって、ユーザから通信サービス情報を伝送されてディスプレイするか否かを選択させうる。または、初期放送／通信結合サービス情報の受信装置を設定するに当って、通信サービス情報の使用をデフォルトと決めた場合には、ユーザから別途の選択命令がなくても、通信サービス情報を伝送されてディスプレイしうる。
【００７４】
放送サービスストリーム処理部６４０は、デマルチプレクサ６２０から入力された放送サービスストリームを信号処理する。ここで、放送サービスストリームを信号処理することは、図５で説明した放送／通信結合サービス情報の送信装置の放送サービスストリーム処理部５３０での信号処理についての逆過程からなる。さらに具体的に、パケット化された放送サービスストリームについてのデマルチプレックシングし、デマルチプレックシングされたパケットを所定フォーマットにデコーディングを行うものである。
【００７５】
このような信号処理を通じて放送サービスストリーム処理部６４０は、放送サービス情報については、ディスプレイ部６６０に伝送し、通信サービス受信制御情報については通信サービス受信制御情報処理部６５０に伝送する。また、追加放送サービス情報がある場合には、ディスプレイ部６６０に伝送する。
【００７６】
通信サービス情報処理部６５０は、通信サービス受信制御情報分析部６５２、通信サービス情報要請部６５４及び通信サービス情報受信部６５６を含んで構成される。
【００７７】
通信サービス受信制御情報分析部６５２は、放送サービスストリーム処理部６４０から入力された通信サービス受信制御情報を分析する。
【００７８】
さらに具体的に、通信サービス受信制御情報分析部６５２は、通信サービス受信制御情報にユーザ要請入力フィールドがある場合には、ディスプレイ部６６０に通信サービス情報を受信すると否かをディスプレイする。そして、このような場合、ユーザインターフェース部６７０を通じてユーザから通信サービス情報受信要請が入力される場合に、通信サービス受信制御情報分析部６５２は、通信サービス情報要請部６５４を通じて通信サービス情報提供サーバーに該当する通信サービス情報を要請する。
【００７９】
一方、通信サービス受信制御情報にユーザ要請入力フィールドのない場合には、直ちに通信サービス情報要請部６５４を通じて通信サービス情報を要請する。
【００８０】
また、通信サービス受信制御情報分析部６５２は、通信サービス受信制御情報に地域基盤サービスフィールドがある場合には、位置情報検出部６８０から検出された自身の位置情報を入力される。そして、自身の位置情報と共に通信サービス情報要請部６５４を通じて通信サービス情報提供サーバーに該当する通信サービス情報を要請する。自身の位置情報と共に通信サービス情報を要請する場合に、通信サービス情報提供サーバーから入力される通信サービス情報は、地域基盤通信サービス情報である。
【００８１】
通信サービス情報要請部６５４は、通信サービス情報提供サーバーに該当する通信サービス情報についての伝送を要請する。
【００８２】
通信サービス情報受信部６５６は、通信サービス情報提供サーバーから伝送される通信信号に含まれている通信サービス情報を入力され、これをディスプレイ部６６０に提供する。また、通信サービス情報受信部６５６は、通信サービス情報提供サーバーから通信サービス情報を受信できない場合には、通信サービス情報受信不可信号をディスプレイ部６６０に伝送する。
【００８３】
ディスプレイ部６６０は、放送サービスストリーム処理部６４０から入力される放送サービス情報と通信サービス受信制御情報分析部６５０から入力される通信サービス情報とを時間同期化してディスプレイする。また、通信サービス受信制御情報分析部６５０から通信サービス情報受信不可信号を入力される場合には、放送サービス情報のみをディスプレイするか、追加放送サービス情報が入力された場合には、これをディスプレイする。ディスプレイ部６６０でディスプレイされる放送サービス情報と通信サービス情報とに対する時間遅延はなくなる。これと関連しては図２ないし図４を参照する。
【００８４】
ユーザインターフェース部６７０は、通信サービス情報を受信するか否かについての選択命令をユーザから受信する入出力インターフェースを提供する。さらに具体的に、ユーザインターフェース部６７０はキーボードまたはＩＲリモートから入力される命令によるＩＲ受信部を通じて構成しうる。ＩＲリモートは、エアーマウスのような無線マウスやリモコンになりうる。
【００８５】
図７は、図６の放送／通信結合サービス情報の受信装置が移動する場合に放送／通信結合サービスを提供するシステムについての図である。図７では、放送サービスとしては移動中にも信号の減衰やエラーなしに放送信号を受信できる移動放送サービスと、通信サービスとして、通信信号を受信できる無線通信サービスとが結合される場合を例として説明する。
【００８６】
図７による放送／通信結合サービスを提供するシステムは、放送／通信結合サービス情報の送信装置７０１、通信サービス情報提供サーバー７０２、放送を地域単位で送信する放送中継器７０３、通信基地局７０４及び放送／通信結合サービスを提供する放送／通信結合サービス情報の受信装置７０５を含んでなる。
【００８７】
移動放送サービスの差別化のために無線通信サービスを結合する場合についてのさらに具体的な一例として、放送／通信結合サービス情報の受信装置は、無線通信サービスの特徴のうち、１つの基地局または移動放送サービスの追加送信のための中継器などを通じて自身の現在位置情報を検出でき、これを通じてさらに進歩された形の地域基盤放送／通信結合サービスを提供しうる。
【００８８】
通常、ＳＦＮ（Ｓｉｎｇｌｅ  Ｆｒｅｑｕｅｎｃｙ  Ｎｅｔｗｏｒｋ）方式の場合には、１つの放送サービス情報が全体地域に同一に放送されるので、特定時点に放送される放送サービス情報と共に連係してサービスされる通信サービス情報は、１つのデータで構成されることが望ましい。
【００８９】
図７を参照するに、特定時点に放送される放送サービス情報と連係してサービスされる通信サービス受信制御情報、すなわち、放送／通信結合サービス情報の受信装置７０５が地域基盤サービスフィールドを含んでいる通信サービス受信制御情報を受信する場合について説明する。地域基盤に基づいた放送を行おうとする場合には、放送／通信結合サービス情報の受信装置で通信サービス受信制御情報と自身が位置した位置情報（例えば、放送中継器７０３の識別子、通信基地局７０４の識別子またはＧＰＳ情報など）を使用して該当する地域的通信サービス情報を受信する。
【００９０】
放送／通信結合サービス情報の受信装置７０５は、特定時点に放送される放送サービス情報と連係してサービスされる通信サービス受信制御情報が前記特定時点以前に放送される放送サービス情報と共に含まれている放送信号を受信する。
【００９１】
ここで、通信サービス受信制御情報には、現在受信される通信サービス情報が位置基盤通信サービス情報であることを知らせる地域基盤サービスフィールドが含まれている場合を例として挙げられる。
【００９２】
放送／通信結合サービス情報の受信装置７０５は、放送中継器７０３を通じて自身の現在位置情報を検出し、検出された自身の位置情報を通じて通信サービス情報提供サーバー７０２に接続して該当する地域的通信サービス情報を受信することによって、特定時間に受信される放送サービス情報と同期化してディスプレイする。
【００９３】
地域Ａ  ７０６に位置した放送／通信結合サービス情報の受信装置７０５は放送中継器７０３を通じて自身の位置情報を把握し、通信サービス情報提供サーバー７０２から自身が位置した地域と関連した地域的通信サービス情報を受信される。
【００９４】
地域Ｂ  ７０７に位置した放送／通信結合サービス情報の受信装置７０５’は、通信基地局７０４を通じて自身の位置情報を把握し、通信サービス情報提供サーバー７０２から自身が位置した地域と関連した地域的通信サービス情報を受信される。
【００９５】
地域Ａ  ７０６から地域Ｂ  ７０７に移動する場合（すなわち、ハンドオーバーが発生する場合）または地域Ｂ  ７０７から地域Ａ  ７０６に移動する場合（すなわち、ハンドオーバーが発生する場合）において、移動中に通信サービス受信制御情報を受信する場合には、既定の方式により通信サービス情報を受信しうる。
【００９６】
ここで、地域Ａ  ７０６に位置している放送／通信結合サービス情報の受信装置７０５が通信サービス情報提供サーバー７０２から地域Ａについての通信サービス情報の受信中に地域Ｂ  ７０７に移動する場合について説明する。
【００９７】
地域Ａ  ７０６の通信サービス情報が現在入力される放送サービス情報と共に関連してサービスされねばならない時点に、地域Ｂ  ７０７の通信サービス情報の受信にかかる時間が不足すると判断される場合には、既に確保された地域Ａ  ７０６の通信サービス情報を放送サービス情報と同期化してディスプレイする。一方、地域Ｂ  ７０７の通信サービス情報を受信する時間が不足していないと判断される場合には、地域Ｂ  ７０７の通信サービス情報を受信して放送サービス情報と同期化してディスプレイする。
【００９８】
図８は、本発明の望ましい一実施形態による放送／通信結合サービス送信方法についてのフローチャートである。図８において適用可能な放送サービス情報と通信サービス情報は、音声／映像を含む動映像放送、オーディオ／ビデオストリーミング、マルチメディアデータファイル、ウェブサービス、交通情報、ニュース、株式、ＥＰＧ（Ｅｌｅｃｔｒｏｎｉｃ  Ｐｒｏｇｒａｍ  Ｇｕｉｄｅ）及びＥＳＧ（Ｅｌｅｃｔｒｏｎｉｃ  Ｓｅｒｖｉｃｅｓ  Ｇｕｉｄｅ）などを例として挙げられる。
【００９９】
図８を参照するに、まず、特定時点Ｔに放送される放送サービス情報と連係してサービスされる通信サービス受信制御情報を入力される（Ｓ８００）。
【０１００】
次いで、前記特定時点Ｔ以前時点であるＴ−ｔ２に放送される放送サービス情報を入力される（Ｓ８１０）。段階Ｓ８００と段階Ｓ８１０とで放送サービス情報と前記放送サービス情報と連係してサービスされる通信サービス情報についての通信サービス受信制御情報が各々保存されている保存部からこれを入力される。通信サービス受信制御情報には、ユーザ入力要請フィールド及び／または地域基盤サービスフィールドをさらに含みうる。
【０１０１】
ここで、保存部に放送サービス情報と通信サービス受信制御情報とが保存されている形態は、特定時点Ｔに放送される放送サービス情報と連係してサービスされる通信サービス情報についての通信サービス受信制御情報と前記特定時点以前であるＴ−ｔ２に放送される放送サービス情報とが同期化されていることである。
【０１０２】
このように、放送サービス情報と通信サービス受信制御情報とが一定の時間差をおいて保存されていることは、放送／通信結合サービス情報の受信装置であらかじめ通信サービス情報を受信することによって、実際的に特定時点Ｔでは時間遅延なしに放送サービス情報と通信サービス情報についての結合サービスを提供させるためである。ここで、前記時間遅延差であるｔ２は、放送／通信結合サービス情報の受信装置が通信サービス受信制御情報を入力され、これを分析して、通信サービス情報提供サーバー（図示せず）から該当する通信サービス情報を伝送されるまでの時間を示す。
【０１０３】
また、保存部は、前記特定時点以前Ｔ−ｔ２に放送される放送サービス情報が特定時点Ｔに放送される追加放送サービス情報と共にマッチングされて保存されていることをさらに含みうる。ここで、追加放送サービス情報は、通信サービス情報提供サーバーから該当する通信サービス情報を提供され得ない場合に備えて、特定時点Ｔに放送される放送サービス情報と共にディスプレイする追加情報である。
【０１０４】
さらに、追加放送サービス情報は、通信サービス情報提供サーバーから該当する通信サービス情報を提供される場合にも、特定時点Ｔに放送される放送サービス情報及び通信サービス情報と共にディスプレイ可能にしうる。
【０１０５】
次いで、前記段階Ｓ８００で入力された通信サービス受信制御情報と前記段階Ｓ８１０で入力された放送サービス情報とが共に含まれる放送サービスストリームを生成する（Ｓ８２０）。前記段階Ｓ８２０で入力される放送サービス情報は特定時点であるＴ−ｔ２でディスプレイされる放送サービス情報であり、また共に入力される通信サービス受信制御情報は特定時点Ｔにディスプレイされる放送サービス情報と共に関連してサービスされる通信サービス情報についての受信制御情報である。このように、通信サービス受信制御情報は、特定時点Ｔに放送される放送サービス情報より所定時間以前（ここで、Ｔ−ｔ２）に放送される放送サービス情報と共に放送サービスストリーム形態に提供される。
【０１０６】
また、前記段階Ｓ８２０の放送サービスストリームの生成中に放送サービスに該当するフォーマットに放送サービス情報と通信サービス受信制御情報とをエンコーディングし、エンコーディングされたデータをパケット化し、パケット化された放送サービスストリームに対して多重化（Ｍｕｌｔｉｐｌｅｘｉｎｇ）を行うことをさらに含む。
【０１０７】
次いで、放送／通信結合サービスの提供を知らせる放送サービス構成情報を生成する（Ｓ８３０）。前記段階Ｓ８３０では、現在提供する放送サービスが放送／通信結合サービスであることを受信装置に知らせる報知情報を含む放送サービス構成情報を生成する。さらに具体的に、放送サービス構成情報は、ＤＡＢの場合にはＦＩＣを通じて、ＤＶＢ−Ｔの場合にはＰＳＩ／ＳＩを通じて現在提供されるサービスが放送／通信結合サービスであることを知らせる。
【０１０８】
次いで、前記段階Ｓ８２０で生成された放送サービスストリームと前記段階Ｓ８３０で生成された放送サービス構成情報を各々入力され、これを多重化（Ｍｕｌｔｉｐｌｅｘｉｎｇ）して１つの放送信号として処理する（Ｓ８４０）。
【０１０９】
次いで、前記段階Ｓ８４０で多重化された放送信号を入力され、これをチャンネル符号化する（Ｓ８５０）。
【０１１０】
次いで、前記段階Ｓ８５０でチャンネル符号化された放送信号を入力され、これをアンテナを経て放送／通信結合サービス情報の受信装置に伝送する（Ｓ８６０）。ここで、段階Ｓ８６０では少なくとも１つ以上の放送信号を放送網を通じて伝送しうる。段階Ｓ８６０でチャンネル符号化された放送信号を伝送される放送／通信結合サービス情報の受信装置は固定型、携帯型及び移動型のうち、いずれか１つで構成しうる。
【０１１１】
図８で説明していない部分は、図２ないし図７を参照する。
【０１１２】
図９Ａ及び図９Ｂは、本発明の望ましい一実施形態による放送／通信結合サービス情報の受信方法についてのフローチャートである。図９において適用可能な放送サービス情報と通信サービス情報は、音声／映像を含む動映像放送、オーディオ／ビデオストリーミング、マルチメディアデータファイル、ウェブサービス、交通情報、ニュース、株式、ＥＰＧ及びＥＳＧなどを例として挙げられる。
【０１１３】
図９を参照するに、まず、放送網を通じて放送／通信結合サービス情報の送信装置から伝送される放送信号を受信する（Ｓ９００）。
【０１１４】
次いで、段階Ｓ９００で受信された放送信号をチャンネル復号化する（Ｓ９０５）。
【０１１５】
次いで、段階Ｓ９１０でチャンネル復号化された放送信号を放送サービス構成情報と放送サービスストリームに逆多重化（Ｄｅｍｕｌｔｉｐｌｅｘｉｎｇ）する（Ｓ９１０）。
【０１１６】
次いで、段階Ｓ９１０で逆多重化された放送サービスストリームについての信号処理を行う（Ｓ９１５）。
【０１１７】
次いで、前記段階Ｓ９１５の信号処理実行の結果、通信サービス受信制御情報であるか否かを判断する（Ｓ９２０）。段階Ｓ９２０での判断結果、通信サービス受信制御情報と判断される場合には、段階Ｓ９２５に進む。一方、段階Ｓ９２０での判断結果、通信サービス受信制御情報と判断されていない場合、すなわち、放送サービス情報である場合には、段階Ｓ９６５に進む。
【０１１８】
段階Ｓ９２５では通信サービス受信制御情報を分析する。
【０１１９】
前記段階Ｓ９２５での通信サービス受信制御情報の分析結果、通信サービス受信制御情報内でのユーザ要請入力フィールドの存否を判断する（Ｓ９３０）。
【０１２０】
段階Ｓ９３０での判断結果、ユーザ要請入力フィールドがないと判断される場合には、段階Ｓ９４０に進む。一方、段階Ｓ９３０での判断結果、ユーザ要請入力フィールドがあると判断される場合には、段階Ｓ９３５に進んで、ユーザによる通信サービス情報受信要請命令の入力有無を判断する。通信サービス情報受信要請命令は、ユーザインターフェース装置を通じて行われうる。
【０１２１】
段階Ｓ９３５での判断結果、通信サービス情報受信要請命令があると判断される場合には、段階Ｓ９４０に進む。一方、段階Ｓ９３５での判断結果、通信サービス情報受信要請信号がないと判断される場合には終了する。
【０１２２】
段階Ｓ９４０では、通信サービス受信制御情報分析の結果、地域基盤サービスフィールドの存否を判断する。段階Ｓ９４０での判断結果、地域基盤サービスフィールドがあると判断される場合には、段階Ｓ９４５に進んで放送／通信結合サービス情報の受信装置は、自身の現在位置情報を検出し、段階Ｓ９５０に進む。一方、段階９４０での判断結果、地域基盤サービスフィールドがないと判断される場合には、直ちに段階Ｓ９５０に進む。
【０１２３】
段階Ｓ９５０では、通信サービス情報提供サーバーに該当する通信サービス情報についての伝送を要請する。ここで、段階Ｓ９４５を通じる場合には、自身の現在位置情報を共に通信サービス情報提供サーバーに提供して地域基盤通信サービス情報を要請する。
【０１２４】
次いで、通信サービス情報提供サーバーから通信網を通じて該当する通信サービス情報が受信されるか否かを判断する（Ｓ９５５）。段階Ｓ９５５での判断結果、通信サービス情報が受信されると判断される場合には、段階Ｓ９６０に進んで通信サービス情報をディスプレイする。一方、段階Ｓ９５５での判断結果、通信サービス情報が受信されていないと判断される場合には、段階Ｓ９８０に進む。
【０１２５】
一方、段階Ｓ９６５では放送サービス情報が一定時間後にディスプレイされる追加放送サービス情報であるか、直ちにディスプレイする放送サービス情報であるかを判断する。段階Ｓ９６５での判断結果、追加放送サービス情報と判断される場合には、段階Ｓ９７０に進んで追加放送サービス情報を保存する。一方、段階Ｓ９６５での判断結果、追加放送サービス情報と判断される場合には、段階Ｓ９７５に進んで放送サービス情報をディスプレイする。
【０１２６】
段階Ｓ９８０では、追加放送サービス情報が保存されているか否かを判断する。段階Ｓ９８０での判断結果、追加放送サービス情報が保存されていると判断される場合に、段階Ｓ９８５に進行して追加放送サービス情報をディスプレイする。一方、段階Ｓ９８０での判断結果、追加放送サービス情報が保存されていないと判断される場合には終了する。
【０１２７】
ここで、段階Ｓ９６０と段階Ｓ９７５及び段階Ｓ９８５での通信サービス情報、放送サービス情報及び追加放送サービス情報についてのディスプレイは時間同期化されてディスプレイされる。すなわち、放送／通信結合サービス情報の送信装置から伝送される放送信号で既に特定時点に放送される放送サービス情報と連係してサービスされる通信サービスについての受信制御情報が前記特定時点以前に放送される放送サービス情報と共に含まれているので、段階Ｓ９６０と段階Ｓ９７５及び段階Ｓ９８５でディスプレイされる時点では、時間遅延なしに相互関連されている情報がディスプレイされる。
【０１２８】
図９で説明されていない部分は、図２ないし図７を参照する。
【０１２９】
前述したような方法は、またコンピュータで読取り可能な記録媒体にコンピュータで読取り可能なコードとして具現しうる。コンピュータで読取り可能な記録媒体はコンピュータシステムによって読込まれるデータの保存されるあらゆる種類の記録装置を含む。コンピュータで読取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形で具現するものも含まれる。またコンピュータで読取り可能な記録媒体は、ネットワークで連結されたコンピュータシステムに分散され、分散方式でコンピュータで読取り可能なコードが保存及び実行されうる。そして、前記方法を具現するための機能的なプログラム、コード及びコードセグメントは本発明が属する技術分野のプログラマーにより容易に推論されうる。
【０１３０】
以上、本発明についてその望ましい実施形態を中心に説明した。当業者ならば、本発明が本発明の本質的な特性から外れない範囲で変形された形態に具現されるということを理解できるであろう。したがって、開示された実施形態は、限定的な観点でなく説明的な観点で考慮せねばならない。本発明の範囲は、前述した説明でなく、特許請求の範囲に現れており、それと同等な範囲内にあるあらゆる差異点は本発明に含まれたものと解釈されねばならない。
【産業上の利用可能性】
【０１３１】
本発明は、放送／通信結合サービス情報の送受信方法及び装置関連の技術分野に好適に適用されうる。
【図面の簡単な説明】
【０１３２】
【図１】従来の放送／通信結合サービス情報を提供する方法を示す図である。
【図２】本発明の望ましい一実施形態により経時的に放送／通信結合サービスを提供する方法を示す図である。
【図３】本発明の望ましい他の一実施形態により経時的に放送／通信結合サービスを提供する方法を示す図である。
【図４】本発明の望ましいさらに他の一実施形態により経時的に放送／通信結合サービスを提供する方法を示す図である。
【図５】本発明の望ましい一実施形態による放送／通信結合サービス情報の送信装置を示すブロック図である。
【図６】本発明の望ましい一実施形態による放送／通信結合サービス情報の受信装置を示すブロック図である。
【図７】図６の放送／通信結合サービス情報の受信装置が移動する場合に放送／通信結合サービスを提供するシステムを示す図である。
【図８】本発明の望ましい一実施形態による放送／通信結合サービス送信方法を示すフローチャートである。
【図９Ａ】本発明の望ましい一実施形態による放送／通信結合サービス情報の受信方法を示すフローチャートである。
【図９Ｂ】本発明の望ましい一実施形態による放送／通信結合サービス情報の受信方法を示すフローチャートである。
【符号の説明】
【０１３３】
６００    受信部
６１０    チャンネル復号化部
６２０    デマルチプレクサ
６３０    放送サービス構成情報処理部
６４０    放送サービスストリーム処理部
６５０    通信サービス受信制御情報処理部
６５２    通信サービス受信制御情報分析部
６５４    通信サービス情報要請部
６５６    通信サービス情報受信部
６６０    ディスプレイ部
６７０    ユーザインターフェース部
６８０    位置情報検出部
【図１】
2007068172.tif 000005
【図２】
2007068172.tif 000006
【図３】
2007068172.tif 000007
【図４】
2007068172.tif 000008
【図５】
2007068172.tif 000009
【図６】
2007068172.tif 000010
【図７】
2007068172.tif 000011
【図８】
2007068172.tif 000012
【図９Ａ】
2007068172.tif 000013
【図９Ｂ】
2007068172.tif 000014